(57)【要約】【課題】回路基板数の削減を実現し、もって低コストとシャーシ部材の背面側にある空間の有効利用を可能とするプラズマディスプレイ装置を提供する。【解決手段】走査維持電極と共通維持電極を備える前面板２１と、アドレス電極を備える背面基板３１とを、間に放電空間が形成されるように対向配置したプラズマディスプレイパネル（ＰＤＰ）１０と、このＰＤＰ１０を前面側に保持し、背面側にはＰＤＰ１０を駆動させるための回路基板を配置したシャーシ部材２００と、を有し、走査維持電極、共通維持電極、アドレス電極のそれぞれの引き出し端子、及び前記それぞれの引き出し端子に電位を与える回路基板２１１、２１３は、ＰＤＰ１０を軸として点対称に配されている。【選択図】図３
2011044289.tif 000002
【特許請求の範囲】
【請求項１】
走査維持電極と共通維持電極を備える前面板と、アドレス電極を備える背面基板とを、間に放電空間が形成されるように対向配置したプラズマディスプレイパネルと、
このプラズマディスプレイパネルを前面側に保持し、背面側には前記プラズマディスプレイパネルを駆動させるための回路基板を配置したシャーシ部材と、を有し、
前記走査維持電極は、その引き出し端子の一部が前記プラズマディスプレイパネルの右側に、残りの引き出し端子が前記プラズマディスプレイパネルの左側に、前記プラズマディスプレイパネルを軸として点対称となるように分けられて配され、
前記共通維持電極は、それを集約した引き出し端子の一部が前記プラズマディスプレイパネルの右側に、残りの集約した引き出し端子が前記プラズマディスプレイパネルの左側に、前記プラズマディスプレイパネルを軸として点対称となるように分けられて配され、
前記アドレス電極は、その引き出し端子の一部が前記プラズマディスプレイパネルの上側に、残りの引き出し端子が前記プラズマディスプレイパネルの下側に、前記プラズマディスプレイパネルを軸として点対称となるように分けられて配され、
前記走査維持電極及び前記共通維持電極及びアドレス電極に電位を与える回路基板が前記走査維持電極及び前記共通維持電極及び前記アドレス電極の引き出し端子の点対称の配置に応じて、点対称に配されている
ことを特徴とするプラズマディスプレイ装置。
【発明の詳細な説明】
【技術分野】
【０００１】
本発明は、表示デバイスとしてプラズマディスプレイパネル（以下、ＰＤＰともいう）を用いたプラズマディスプレイ装置に関する。
【背景技術】
【０００２】
ＰＤＰの種類は、駆動形式と放電形式で大別される。駆動的にはＡＣ型とＤＣ型の２種類があり、放電形式では面放電型と対向放電型の２種類がある。高精細化に適した構造と大画面化及び製造の簡便性から、現状、ＰＤＰの主流は、３電極構造のＡＣ型の面放電型になっている。
面放電型のＰＤＰの代表的な構造は、ガラスを主材料とする一対の基板（前面基板と背面基板）を、放電空間を挟んで対向配置させ、両基板の周囲に配設した封着材により内部封止し、放電空間に放電ガスを封入してなる。
前面基板は、基板ガラスの一方の主面に、走査維持電極と共通維持電極とからなる表示電極対を複数対、配設するとともに、これを被覆する誘電体層と保護層を順次形成する。
【０００３】
一方、背面基板は、基板ガラスの一方の主面に複数のデータ電極を配設するとともに、放電空間を放電セル毎に区画するための井桁状等の形状を持つ隔壁を形成する。隔壁に囲まれ、一対の表示電極対と一本のデータ電極とが放電空間を挟んで対向配置する位置に合わせて放電セルが形成される。隔壁に囲まれた背面基板の表面には、さらに、放電時に発生する紫外線を受けて赤色、緑色、青色のいずれかに蛍光発光する蛍光体層が配設される。
【０００４】
このような構成を持つＰＤＰでは、駆動時に放電空間で発生する放電で波長の短い真空紫外光を発生させ、これにより蛍光体を励起する。そして、赤色、緑色、青色の各々の色に対応する放電セルが所定の可視光を発することでカラー表示が行われる。
上述したＰＤＰは、アルミニウムなどの金属製の、シャーシ部材の前面側に保持され、また、シャーシ部材の背面側には、ＰＤＰを発光させるための駆動回路を構成する回路基板が、ＰＤＰと電気接続されて搭載されることでプラズマディスプレイ装置が構成される（例えば、特許文献１参照）。
【先行技術文献】
【特許文献】
【０００５】
【特許文献１】特開２００３−１３１５８０号公報
【発明の概要】
【発明が解決しようとする課題】
【０００６】
ところで従来のプラズマディスプレイ装置は、図４に、ＰＤＰ１００の背面側から見た電極配列を模式的に示すように、走査維持電極ＳＣ１〜ｎの引き出し端子はＰＤＰ１００の左側に、共通維持電極ＳＳＵ、ＳＳＤの引き出し端子はＰＤＰの右側に、そしてアドレス電極Ｄ１〜ｑの引き出し端子はＰＤＰの下側に、それぞれまとめられた配置となっている。
【０００７】
ここで一般的には、走査維持電極、共通維持電極、及びアドレス電極のそれぞれに対しては異なる電圧及び波形の駆動電圧が印加されることから、それぞれに駆動電圧を印加するための回路を構成する電子部品なども異なっているのが通常である。具体的に従来のプラズマディスプレイ装置においては、図５に概略的に平面図で示すように、シャーシ部材３００の背面側において、走査維持電極の引き出し端子３０１、共通維持電極の引き出し端子３０２、及びアドレス電極の引き出し端子３０３それぞれに対して回路基板が別個に接続される。そのため各回路基板の配置は、それぞれの電極の、引き出し端子の配置に応じて、例えば、略左側（回路基板３１１）、略右側（回路基板３１２）、略下側（回路基板３１３、３１４）に配されたものとなっている。
【０００８】
一方、プラズマディスプレイ装置においては低コスト化が要求されている。そのため、部品点数の削減が求められており、上述した回路基板もその対象となっている。
本発明はこのような状況に鑑みなされたもので、回路基板数の削減を実現し、もって低コストとシャーシ部材の背面側にある空間の有効利用を可能とするプラズマディスプレイ装置を提供することを目的とする。
【課題を解決するための手段】
【０００９】
上記目的を達成するために本発明のプラズマディスプレイ装置は、走査維持電極と共通維持電極を備える前面板と、アドレス電極を備える背面基板とを、間に放電空間が形成されるように対向配置したプラズマディスプレイパネルと、このプラズマディスプレイパネルを前面側に保持し、背面側には前記プラズマディスプレイパネルを駆動させるための回路基板を配置したシャーシ部材と、を有し、前記走査維持電極は、その引き出し端子の一部が前記プラズマディスプレイパネルの右側に、残りの引き出し端子が前記プラズマディスプレイパネルの左側に、前記プラズマディスプレイパネルを軸として点対称となるように分けられて配され、前記共通維持電極は、それを集約した引き出し端子の一部が前記プラズマディスプレイパネルの右側に、残りの集約した引き出し端子が前記プラズマディスプレイパネルの左側に、前記プラズマディスプレイパネルを軸として点対称となるように分けられて配され、前記アドレス電極は、その引き出し端子の一部が前記プラズマディスプレイパネルの上側に、残りの引き出し端子が前記プラズマディスプレイパネルの下側に、前記プラズマディスプレイパネルを軸として点対称となるように分けられて配され、前記走査維持電極及び前記共通維持電極及びアドレス電極に電位を与える回路基板は前記走査維持電極及び前記共通維持電極及び前記アドレス電極の引き出し端子の点対称の配置に応じて、点対称に配されていることを特徴とするものである。
【発明の効果】
【００１０】
本発明によれば、回路基板数の削減が実現でき、もって低コストとシャーシ部材の背面側にある空間の有効利用を可能とするプラズマディスプレイ装置を提供することができる。
【図面の簡単な説明】
【００１１】
【図１】本発明の一実施の形態によるプラズマディスプレイ装置に用いられているＰＤＰの概略構造を示す分解斜視図である。
【図２】本発明の一実施の形態によるプラズマディスプレイ装置に用いられているＰＤＰの電極配列を模式的に示す図である。
【図３】本発明の一実施の形態によるプラズマディスプレイ装置の概略構造を示す平面図である。
【図４】従来のプラズマディスプレイ装置に用いられているＰＤＰの電極配列を模式的に示す図である。
【図５】従来のプラズマディスプレイ装置の概略構造を示す平面図である。
【発明を実施するための形態】
【００１２】
以下、本発明の一実施の形態によるプラズマディスプレイ装置について、図面を用いて説明する。
図１は、本発明の一実施の形態によるプラズマディスプレイ装置に用いられているＰＤＰ１０の概略構造を示す分解斜視図である。
ガラス製の前面板２１上には、走査維持電極２２と共通維持電極２３とからなる表示電極対２８が複数形成されている。そして走査維持電極２２と共通維持電極２３とを覆うように誘電体層２４が形成され、その誘電体層２４上に保護層２５が形成されている。背面板３１上にはアドレス電極３２が複数形成され、アドレス電極３２を覆うように誘電体層３３が形成され、さらにその上に井桁状の隔壁３４が形成されている。そして、隔壁３４の側面及び誘電体層３３上には赤色（Ｒ）、緑色（Ｇ）及び青色（Ｂ）の各色に発光する蛍光体層３５が設けられている。
【００１３】
そして前面板２１と背面板３１とは、微小な放電空間を挟んで表示電極対２８とアドレス電極３２とが交差するように対向配置され、その外周辺部をガラスフリット等の封着材によって封着されている。放電空間には、例えばネオンとキセノンの混合ガスが放電ガスとして封入されている。本実施の形態においては、輝度向上のためにキセノン分圧を１０％とした放電ガスが用いられている。放電空間は隔壁３４によって複数の区画に仕切られており、表示電極対２８とアドレス電極３２とが交差する部分に放電セルが形成されている。そしてこれらの放電セルが放電、発光することにより画像が表示される。
【００１４】
なお、ＰＤＰ１０の構造は上述したものに限られるわけではなく、例えばストライプ状の隔壁を備えたものであってもよい。
図２は、本発明の一実施の形態によるプラズマディスプレイ装置に用いられているＰＤＰ１０の電極配列を模式的に示す図であり、裏面側から見た図である。ＰＤＰ１０は、行方向に長いｎ本の走査維持電極ＳＣ１〜ＳＣｍ及びＳＣｍ＋１〜ＳＣｎ（図１の走査維持電極２２）と、同じくｎ本の共通維持電極ＳＳ１〜ＳＳｍ及びＳＳｍ＋１〜ＳＳｎ（図１の共通維持電極２３）を有する。なお、共通維持電極ＳＳ１〜ＳＳｍは引き出し端子としてはＳＳＵに集約され、また、共通維持電極ＳＳｍ＋１〜ＳＳｎは引き出し電極としてＳＳＤに集約されている。
【００１５】
さらにＰＤＰ１０は、列方向に長いｑ本のアドレス電極Ｄ１〜Ｄｐ及びＤｐ＋１〜Ｄｑ（図１のアドレス電極３２）を有する。そして、１対の表示電極対と１つのアドレス電極とが交差した部分に放電セルが形成され、放電セルは放電空間内にｎ×ｑ個形成されている。
それぞれの電極の引き出し端子はそれぞれ、ＰＤＰの上下左右に、以下に述べるような態様に配分されている。すなわち例えば、ＳＣ１〜ＳＣｍとＳＳＤ（ＳＳｍ＋１〜ＳＳｎ）とはＰＤＰ１０の右側、ＳＣｍ＋１〜ＳＣｎとＳＳＵ（ＳＳ１〜ＳＳｍ）とはＰＤＰ１０の左側、Ｄ１〜ＤｐはＰＤＰ１０の上側、Ｄｐ＋１〜ＤｑはＰＤＰ１０の下側、に引き出し端子が配分された構造である。
【００１６】
そして上述のような構成により、ＳＣ１〜ＳＣｍとＳＣｍ＋１〜ＳＣｎとは、また、ＳＳＤ（ＳＳｍ＋１〜ＳＳｎ）とＳＳＵ（ＳＳ１〜ＳＳｍ）とは、さらに、Ｄ１〜ＤｐとＤｐ＋１〜Ｄｑとは、それぞれＰＤＰ１０を軸として点対称の位置に配されることとなる。
なお、ＰＤＰ１０を駆動する際の負荷を均等にするために、ｎ＝２ｍ，ｑ＝２ｐ、すなわちＰＤＰ１０を上下及び左右にそれぞれ２分割することが望ましい。
【００１７】
図３は、本発明の一実施の形態によるプラズマディスプレイ装置の概略構造を示す、当該装置を背面側から見た平面図である。
上述したＰＤＰ１０は、アルミニウムや鉄などの金属製の、シャーシ部材２００の前面側に保持されている（当図では紙面奥側に位置するため見えない）。また、シャーシ部材２００の背面側（紙面手前側）には、統合回路基板２１１や延長基板２１３などの回路基板がねじ止めなどの方法により固定され、通常ＦＦＣを介してＰＤＰ１０の引き出し端子と電気接続されている。
【００１８】
ここで、図２を用いて説明したように、本発明の一実施の形態によるＰＤＰ１０においては、機能が同じである、走査維持電極ＳＣ１〜ＳＣｍと走査維持電極ＳＣｍ＋１〜ＳＣｎのそれぞれの引き出し端子を、また、共通維持電極ＳＳ１〜ＳＳｍを集約した引き出し端子ＳＳＵと共通維持電極ＳＳｍ＋１〜ＳＳｎを集約した引き出し端子ＳＳＤとを、そして、アドレス電極Ｄ１〜Ｄｐの引き出し端子とアドレス電極Ｄｐ＋１〜Ｄｑの引き出し端子とを、それぞれＰＤＰ１０を軸とした点対称の位置に配している。したがって、それぞれを組み合わせることにより回路基板を共通化することが可能となっている。
【００１９】
すなわち例えば、ＰＤＰ１０の右側に引き出し端子があるＳＣ１〜ＳＣｍとＳＳＤ（ＳＳｍ＋１〜ＳＳｎ）と、ＰＤＰ１０の上側に引き出し端子があるＤ１〜Ｄｐとのまとまりを一つの組とし、また、ＰＤＰ１０の左側に引き出し端子があるＳＣｍ＋１〜ＳＣｎとＳＳＵ（ＳＳ１〜ＳＳｍ）と、ＰＤＰ１０の下側に引き出し端子があるＤｐ＋１〜Ｄｑとのまとまりも一つの組として取り扱うことで、互いの組はＰＤＰ１０を軸として点対称の位置に配されることとなる。これにより、ＳＣ１〜ＳＣｍとＳＳＤ（ＳＳｍ＋１〜ＳＳｎ）と、Ｄ１〜Ｄｐそれぞれに対するＦＦＣ（Ｆｌｅｘｉｂｌｅ  Ｆｌａｔ  Ｃａｂｌｅ）と回路基板、及び、ＳＣｍ＋１〜ＳＣｎとＳＳＵ（ＳＳ１〜ＳＳｍ）とＤｐ＋１〜Ｄｑそれぞれに対するＦＦＣと回路基板、を共通化することが可能となる。
【００２０】
図３には、一例として、ＳＣ１〜ＳＣｍ及びＳＣｍ＋１〜ＳＣｎに対するＦＦＣとして、共通の走査維持電極ＦＦＣ２０１を用い、また、ＳＳＤ（ＳＳｍ＋１〜ＳＳｎ）及びＳＳＵ（ＳＳ１〜ＳＳｍ）に対するＦＦＣとして、共通の共通維持電極ＦＦＣ２０２を用い、さらに、Ｄ１〜Ｄｐ及びＤｐ＋１〜Ｄｑに対するＦＦＣとして、共通のアドレス電極ドライバ兼ＦＦＣ２０３を用い、また以上のＦＦＣが接続される回路基板としては、同じく共通の、統合回路基板２１１と延長基板２１３とを組み合わせた回路基板とした例を示している。
【００２１】
図３に示すように、本発明の一実施の形態によるプラズマディスプレイ装置においては、ＰＤＰ１０の右側に引き出し端子があるＳＣ１〜ＳＣｍとＳＳＤ（ＳＳｍ＋１〜ＳＳｎ）とからはそれぞれ走査維持電極ＦＦＣ２０１、共通維持電極ＦＦＣ２０２を、また、ＰＤＰ１０の左側に引き出し端子があるＳＣｍ＋１〜ＳＣｎとＳＳＵ（ＳＳ１〜ＳＳｍ）とからもそれぞれ走査維持電極ＦＦＣ２０１、共通維持電極ＦＦＣ２０２を、そして、ＰＤＰ１０の上側に引き出し端子があるＤ１〜Ｄｐからはアドレス電極ドライバ兼ＦＦＣ２０３を、また、ＰＤＰ１０の下側に引き出し端子があるＤｐ＋１〜Ｄｑからもアドレス電極ドライバ兼ＦＦＣ２０３をそれぞれ引き出し、シャーシ部材２００の背面側に固定された、同様に共通の、統合回路基板２１１と延長基板２１３とに、それぞれの組に応じて接続された構成となっている。
【００２２】
このように、ＳＣ１〜ＳＣｍとＳＳＤ（ＳＳｍ＋１〜ＳＳｎ）とＤｐ＋１〜Ｄｑのまとまりを一つの組とし、また、ＳＣｍ＋１〜ＳＣｎとＳＳＵ（ＳＳ１〜ＳＳｍ）とＤ１〜Ｄｐとの引き出し電極のまとまりも一つの組として取り扱うことで、互いの組はＰＤＰ１０を軸として点対称の位置に配されている。このため、それぞれの組の引き出し端子に駆動電圧を印加するための回路基板を、共通化した回路基板である、統合回路基板２１１と延長基板２１３とを組み合わせた回路基板とすることが可能となる。もって、従来のプラズマディスプレイ装置の構成では、走査電極、維持電極、アドレス電極それぞれ毎に異なる３種類の回路基板が必要であったものを、一つの回路基板（統合回路基板２１１と延長基板２１３とを組み合わせた回路基板）だけとすることができる。
【００２３】
以上述べたように、本発明の一実施の形態によるプラズマディスプレイ装置によれば、回路基板の共通化により、開発効率の向上、製造工程や実装工程の単純化、使用部材の大量調達などが可能になり、製品の低コスト化が可能になる。
また、設計精度が良化することにより、より信頼性の高い製品を得ることができる。
また、各引き出し端子の配置位置を互いに点対称の配置としていることから、ＰＤＰ１０への駆動信号の分布もより均一となり、画質もさらに良化する。
【００２４】
また、回路基板枚数を削減することができることから、基板間の接続配線を合理化することが実現でき、接続配線から発せられる放射ノイズの発生を抑制することができる。
さらにはシャーシ部材上において回路基板が配置されない空間を得ることができるようになるため、その空間を、他の回路基板を配置するためや、プラズマディスプレイ装置を保持するためのスタンドの取り付け部を設ける領域として利用することが可能となり、機能性やデザイン性においても自由度の高い設計が可能になる。
【００２５】
なお、上述のプラズマディスプレイ装置においては、回路基板として統合回路基板２１１と延長基板２１３とからなる構成を一例として示したが、アドレス電極にアドレス放電駆動パルスを与えるデータドライバ回路を統合回路基板２１１に実装することで、回路基板構成を一つの回路基板のみからなる構成とすることもでき、回路基板など、部品点数のさらなる削減が実現でき好ましい。
【産業上の利用可能性】
【００２６】
以上のように本発明は、大画面、高精細のプラズマディスプレイ装置を提供する上で有用な発明である。
【符号の説明】
【００２７】
１０  プラズマディスプレイパネル（ＰＤＰ）
２１  前面版
２２  走査維持電極
２３  共通維持電極
３１  背面板
３２  アドレス電極
２００  シャーシ部材
【図１】
2011044289.tif 000003
【図２】
2011044289.tif 000004
【図３】
2011044289.tif 000005
【図４】
2011044289.tif 000006
【図５】
2011044289.tif 000007